(57)【要約】【課題】  他のコンクリート函体に並べてこれよりも高さの大きいコンクリート函体を敷設するに際し、テール部を掘り下げるとき、打ち込み機や土留板を別途搬入し、また、搬出する手間を省くことができて施工性の向上を図れる。【解決手段】  暗渠などの水路を、複数の縦列に連続した埋設されるコンクリート函体４と、このコンクリート函体４間に適宜間隔で配置され高さが前記コンクリート函体４よりも大きく下方への突出部を有するコンクリート函体１２とで構成する場合、オープンシールド機１のテール部１ｃの側板１ａの内側に押し込みジャッキ１３を設け、この押し込みジャッキ１３の下部に土留矢板１４を連結し、押し込みジャッキ１３を下方に伸長して前記土留矢板１４を側板１ａの下方の地中に押し込んで側方を土留めし、この状態で土留矢板１４の内側を掘削して高さの大きいコンクリート函体１２を設置する。【選択図】        図１
2006097238.tif 000002
【特許請求の範囲】
【請求項１】
オープンシールド機の前面または上面開口より前方の土砂を掘削・排土する工程と、推進ジャッキを伸長してコンクリート函体を反力にしてシールド機を前進させる工程と、シールド機のテール部内で縮めた推進ジャッキの後方に新たなコンクリート函体を上方から吊り降ろしてセットする工程とを適宜繰り返して順次コンクリート函体を縦列に埋設するオープンシールド工法における前記コンクリート函体の据付け方法において、暗渠などの水路を、複数の縦列に連続した埋設されるコンクリート函体と、このコンクリート函体間に適宜間隔で配置され高さが前記コンクリート函体よりも大きく下方への突出部を有するコンクリート函体とで構成する場合、前記オープンシールド機のテール部側板の内側に押し込みジャッキを設け、この押し込みジャッキの下部に土留部材を連結し、押し込みジャッキを下方に伸長して前記土留部材を側板の下方の地中に押し込んで側方を土留めし、この状態で土留部材の内側を掘削して高さの大きいコンクリート函体を設置することを特徴とするコンクリート函体の据付け方法。
【発明の詳細な説明】
【技術分野】
【０００１】
本発明は、上下水道、共同溝、電信・電話などの付設地下道等の地下構造物を市街地などに施工するオープンシールド工法におけるコンクリート函体の据付け方法に関するものである。
【背景技術】
【０００２】
オープンシールド工法は開削工法（オープンカット工法）とシールド工法の長所を活かした合理性に富む工法であり、このオープンシールド工法で使用するオープンシールド機１の概略は図４に示すように左右の側板１ａと、これら側板１ａに連結する底板１ｂとからなる前面、後面および上面を開口したもので、前記側板１ａと底板１ｂの先端を刃口１１として形成し、また側板１ａの中央または後端近くにシールドジャッキ２を後方に向け上下に並べて配設する。図中３は隔壁を示す。
【０００３】
かかるオープンシールド機１を使用して施工するオープンシールド工法は、図示は省略するが、発進坑内にこのオープンシールド機１を設置して、オープンシールド機１のシールドジャッキ２を伸長して発進坑内の反力壁に反力をとってオープンシールド機１を前進させ、地下構造物を形成する第１番目のコンクリート函体４を上方から吊り降ろし、オープンシールド機１のテール部１ｃ内で縮めたシールドジャッキ２の後方にセットする。シールドジャッキ２と反力壁との間にはストラットを配設して適宜間隔調整をする。
【０００４】
また、発進坑は土留壁で構成し、オープンシールド機１を発進させるにはこの土留壁を一部鏡切りするが、必要に応じて薬液注入などで発進坑の前方部分に地盤改良を施しておくこともある。
【０００５】
ショベル等の掘削機９でオープンシールド機１の前面または上面から土砂を掘削しかつ排土する。この排土工程と同時またはその後にシールドジャッキ２を伸長してオープンシールド機１を前進させる。この前進工程の場合、コンクリート函体４の前にはボックス鋼材または型鋼を用いた枠体よりなる押角８を配設し、オープンシールド機１は後方にセットされたコンクリート函体４から反力をとる。
【０００６】
そして第１番目のコンクリート函体４の前に第２番目のコンクリート函体４をオープンシールド機１のテール部１内で吊り降ろす。以下、同様の排土工程、前進工程、コンクリート函体４のセット工程を適宜繰り返して、順次コンクリート函体４をオープンシールド機１の前進に伴い縦列に地中に残置し、さらにこのコンクリート函体４の上面に埋戻土５を入れる。
【０００７】
なお、コンクリート函体４をオープンシールド機１のテール部１ｃ内に吊り降ろす際には、コンクリートブロック等による高さ調整材７をコンクリート函体４下に配設し、このテール部１ｃ内でコンクリート函体４の左右および下部の空隙にグラウト材６を充填する。
【０００８】
このようにして、オープンシールド機１が到達坑まで達したならばこれを撤去して工事を完了する。
【０００９】
このようなオープンシールド工法では、前記のごとくコンクリート函体４をオープンシールド機１の前進に伴い縦列に地中に残置し、コンクリート函体４は、オープンシールド機１のテール部１ｃ内に吊り降ろされ、オープンシールド機１の前進とともに該テール部１ｃから出て地中に残されていくものであり、オープンシールド機１はこのように地中に残置したコンクリート函体４に反力をとって前進する。
【００１０】
コンクリート函体４は鉄筋コンクリート製で、図５に示すように左側板４ａ、右側板４ｂと上床板４ｃと下床板４ｄとからなるもので、前後面を開口１０として開放されている。
【００１１】
このようなオープンシールド工法で築造される地下構造物が例えば暗渠の場合、暗渠の底部に沈殿する泥を所定箇所に集めてメンテナンスが行いやすいようにしており、そのための構造として図１にも示すように縦列に連続して敷設するコンクリート函体４の間に、高さの大きいコンクリート函体１２を適宜間隔で敷設し、この高さの大きいコンクリート函体１２の下部を下方に突出させてこの突出部を泥貯まり部１２ａとしている。
【００１２】
そして、暗渠中を流れる水中に含まれている泥をこの一段低く形成された泥貯まり部１２ａに沈殿させている。
【００１３】
かかる泥貯まり部１２ａを有するコンクリート函体１２を敷設する場合、下方に突出する泥貯まり部１２ａの部分については、その分だけ他のコンクリート函体４の場合よりも掘削深を下げテール部１ｃを掘り下げる必要がある。なお、このとき、底板１ｂは取り除くか、または底板１ｂのないオープンシールド機１を使用する。
【００１４】
そして、テール部１ｃを掘り下げるときは、テール部側方に土留板を建て込む必要があるが、建て込みの方法として、従来は例えば、矢板等の土留板を建て込み機を使用して別途打ち込んでいる。
【００１５】
前記先行技術は当業者間で一般的に行なわれているものであり、文献公知発明にかかるものではない。
【発明の開示】
【発明が解決しようとする課題】
【００１６】
テール部を掘り下げるために、別途打ち込み機と土留板を用意して現場に搬入する必要があるだけでなく、高さの大きいコンクリート函体を設置した後は、土留板を引抜き、搬出する必要もあり、施工に手間を要して施工性がよくない。
【００１７】
本発明の目的は、他のコンクリート函体に並べてこれよりも高さの大きいコンクリート函体を敷設するに際し、テール部を掘り下げるとき、打ち込み機や土留板を別途搬入し、また、搬出する手間を省くことができて施工性の向上を図れるコンクリート函体の据付け方法を提供することにある。
【課題を解決するための手段】
【００１８】
本発明は前記従来例の不都合を解消するものとして、請求項１記載の発明は、オープンシールド機の前面または上面開口より前方の土砂を掘削・排土する工程と、推進ジャッキを伸長してコンクリート函体を反力にしてシールド機を前進させる工程と、シールド機のテール部内で縮めた推進ジャッキの後方に新たなコンクリート函体を上方から吊り降ろしてセットする工程とを適宜繰り返して順次コンクリート函体を縦列に埋設するオープンシールド工法における前記コンクリート函体の据付け方法において、暗渠などの水路を、複数の縦列に連続した埋設されるコンクリート函体と、このコンクリート函体間に適宜間隔で配置され高さが前記コンクリート函体よりも大きく下方への突出部を有するコンクリート函体とで構成する場合、前記オープンシールド機の側板の内側に押し込みジャッキを設け、この押し込みジャッキの下部に土留部材を連結し、押し込みジャッキを下方に伸長して前記土留部材を側板の下方の地中に押し込んで側方を土留めし、この状態で土留部材の内側を掘削して高さの大きいコンクリート函体を設置することを要旨とするものである。
【００１９】
請求項１記載の本発明によれば、他のコンクリート函体よりも下方に突出する突出部を有する高さの大きいコンクリート函体を敷設する場合、オープンシールド機に取り付けてある押し込みジャッキを下方に伸長すれば、敷設しようとするコンクリート函体のセット場所と同じテール部で土留部材がオープンシールド機の側板よりも下方の地中に押し込まれ、前記突出部が埋設される部分の側方が土留めされる。
【００２０】
よって、通常のコンクリート函体よりも下方に突出する部分を有するコンクリート函体を埋設するために、側方を土留めする場合、別途格別に土留板や押し込み機を搬入する必要がなく、配置されているオープンシールド機に備わっている土留部材で土留めできる。また、高さの大きいコンクリート函体を敷設した後は、押し込みジャッキを収縮してそのまま土留部材を引上げれば、オープンシールド機の前進に伴い次の土留箇所までそのままで移動できる。
【発明の効果】
【００２１】
以上述べたように本発明のコンクリート函体の据付け方法は、他の通常のコンクリート函体よりも高さが大きく下方に突出する部分のあるコンクリート函体を敷設するに際し、コンクリート函体が敷設される場所のテール部を突出部の分だけ掘り下げるとき、オープンシールド機に備えた押し込みジャッキでこれに連結してある土留部材を押し込むだけでその場で土留めできるから、また、次の土留場所へはオープンシールド機の前進に伴い押し込みジャッキと土留部材を移動できるから、土留めのために打ち込み機や土留板を別途搬入し、また、搬出する手間を省くことができて施工性の向上を図れるものである。
【発明を実施するための最良の形態】
【００２２】
以下、図面について本発明の実施の形態を詳細に説明する。図１は本発明のコンクリート函体の据付け方法の実施形態を示す縦断側面図、図２は同上横断平面図、図３は同上縦断正面図で、本発明方法が実施されるオープンシールド工法およびオープンシールド機は図４について既に説明したとおりであるから、ここでの詳細な説明は省略する。
【００２３】
図１において、４は例えば地下構造物としての暗渠を構築するための通常の高さのコンクリート函体であり、このコンクリート函体４は連続して地中に埋設される。このコンクリート函体４の間に所定間隔で該コンクリート函体４よりも高さの大きいコンクリート函体１２が敷設され、このコンクリート函体１２の下方への突出部により泥貯まり部１２ａが形成される。
【００２４】
この泥貯まり部１２ａ付きのコンクリート函体１２を敷設するには、オープンシールド機１の側には、テール部１ｃの位置で側板１ａの内側に、押し込みジャッキ１３を、ロッド１３ａを下にし縦向きにして複数個を横に並べ、このロッド１３ａの先端に土留部材としての土留矢板１４を連結する。
【００２５】
なお、オープンシールド機１の底板１ｂは、これを取り外し可能なものとするか、または、底板１ｂのないタイプのオープンシールド機１を使用する。
【００２６】
また、土留部材は、土留矢板１４に限定されるものではなく、ライナープレートその他の部材の使用が可能である。
【００２７】
そして、高さの大きいコンクリート函体１２を設置するには、下方に突出する泥貯まり部１２ａの分だけ、他の通常の高さのコンクリート函体４よりも掘削深を下げてテール部１ｃを掘り下げる。この場合、掘り下げる分の側方を土留めする必要があるが、そのために、本発明ではオープンシールド機１に付設の押し込みジャッキ１３のロッド１３ａを下方に伸長し、その先端に連結してある土留矢板１４を下降させ、側方土留をする。
【００２８】
このようにして高さの大きいコンクリート函体１２の敷設については、通常の高さのコンクリート函体４と同じ高さの分はオープンシールド機１の側板１ａで土留めされ、それよりも下方に突出する泥貯まり部１２ａの分は土留矢板１４で土留めされる。
【００２９】
よって、この状態で両側の側板１ａの間および土留矢板部を掘削して高さの大きいコンクリート函体１２をテール部１ｃ内にセットすれば、既に敷設したコンクリート函体４に連続して縦列に埋設される。そして、下方に突出する部分の前後を壁体１２ｂで閉塞すれば、泥貯まり部１２ａが形成される。
【００３０】
前記壁体１２ｂは、プレキャストコンクリート板を建て込んでもよいが、現場でコンクリートを打設してもよい。
【００３１】
以上のようにして高さの大きいコンクリート函体１２の敷設が完了すれば、押し込みジャッキ１３のロッド１３ａを収縮すれば、土留矢板１４が引上げられる。そして、オープンシールド機１を前進すれば、土留矢板１４も側板１ａの内側に配設された状態でオープンシールド機１と一体となって前方に移動する。
【００３２】
よって、高さの大きいコンクリート函体１２を次に敷設する場所で、前記と同様の方法でロッド１３ａを下方に伸長して土留矢板１４を建て込み、側方土留を行う。
【図面の簡単な説明】
【００３３】
【図１】本発明のコンクリート函体の据付け方法の実施形態を示す縦断側面図である。
【図２】本発明のコンクリート函体の据付け方法の実施形態を示す横断平面図である。
【図３】本発明のコンクリート函体の据付け方法の実施形態を示す縦断正面図である。
【図４】オープンシールド工法の概略を示す縦断側面図である。
【図５】コンクリート函体の斜視図である。
【符号の説明】
【００３４】
１  オープンシールド機          １ａ  側板
１ｂ  底板                      １ｃ  テール部
２  シールドジャッキ            ３  隔壁
４  コンクリート函体            ４ａ  左側板
４ｂ  右側板                    ４ｃ  上床板
４ｃ  下床板                    ５  埋戻土
６  グラウト材                  ７  高さ調整材
８  押角                        ９  掘削機
１０  開口                      １１  刃口
１２  コンクリート函体          １２ａ  泥貯まり部
１２ｂ  壁体                    １３  押し込みジャッキ
１３ａ  ロッド                  １４  土留矢板
【図１】
2006097238.tif 000003
【図２】
2006097238.tif 000004
【図３】
2006097238.tif 000005
【図４】
2006097238.tif 000006
【図５】
2006097238.tif 000007